(57)【特許請求の範囲】
【請求項１】
通気口からマイクシート側に音声を導いて前記音声をマイクに到達させる音声通路を有するマイク装置であって、
前記音声通路が、前記通気口を入口部とし且つ出口部が前記入口部に対して偏位させて設けた通路部を有して、前記入口部から侵入する風切り音等の雑音波が直接前記マイクに入らないように構成したことを特徴とするマイク装置。
【請求項２】
前記通路部に、前記通気口から侵入した雑音波や流体が衝突して反射する反射部を設けたことを特徴とする請求項１に記載のマイク装置。
【請求項３】
前記通気口の周囲に、この通気口を囲む突起部を設けたことを特徴とする請求項１又は請求項２に記載のマイク装置。
【発明の詳細な説明】
【０００１】
【発明の属する技術分野】
本発明は、端末装置に設けられたマイク装置に関する。
【０００２】
【従来の技術】
従来のこの種のマイク装置としては、実開平０２−８８３６０号公報に記載されたものが知られており、このマイク装置の構造を図６に示す。
【０００３】
従来のマイク装置を備える端末装置３０は、本体側ケース３１と、この本体側ケース３１に係合したカバーケース３２とからなる装置本体３３を備えており、本体側ケース３３の内面側には、マイクシート装着部３４と、マイクホルダ−装着部３５とが形成してある。
【０００４】
また、本体側ケース３１の外面部３１ａには通気口３６が形成してあり、この通気口３６からマイクシート装着部３４の中心部にかけて直線状に音声通路３７が形成してある。
【０００５】
このように、音声通路３７は直筒形状をなしており、その外端部で音声通路３７の入口である通気口３６に連通しており、その出口部３８はマイクシート３９側に開口している。
【０００６】
そして、マイクシート装着部３４にはマイクシート３９が装着してあり、マイクホルダ−装着部３５にはマイクホルダ−４０が装着してあって、このマイクホルダ−４０はマイク４１を保持している。
【０００７】
上記したように音声通路３７は直筒形状であるために、通気口３６からマイクシート３９が直視できるものになっていて、マイクシート３９の表面が通気口３６を介して外気に対向するようになっている。
【０００８】
【発明が解決しようとする課題】
上記した従来のマイク装置にあっては、音声通路３７が直筒形状であって、マイクシート３９の表面が通気口３６を介して外気に対向するようになっているために、周囲の風切り音が直接にマイクシート３９を通過しマイク４１に到達するようになっていた。
【０００９】
このために、雑音が大きくなったり、また、雨などの水が直接にマイクシート３９に到達して、このマイクシート３９を介してマイク４１を濡らしてマイク性能を低下させるという問題点があった。
【００１０】
また、雨風が強くなった場合には、直接にマイクシート３９に達する雨水によって、このマイクシート３９を破損してしまうという問題点があった。なお、雨風が強くなった場合とは、例えば、ＪＩＳ−Ｃ０９２０防噴流形相当：防水のランク付けが規定されているＪＩＳ規格の一種で、「防噴流形」は保護等級５に相当し、本規格にて指定された試験下において、機器の内部に正常な動作を阻害するような浸水がないことが要求性能である｛ＪＩＳ規格（ＪＩＳ−Ｃ０９２０）｝。
【００１１】
本発明は、上記した問題点に着目してなされたものであって、その目的とするところは、風切り音や雨などの水が直接にマイクシートに到達しマイクが濡れることによるマイクの性能劣化を防ぎ、雑音を低減し、更に雨風に強いマイク装置を提供することである。
【００１２】
【課題を解決するための手段】
上記の目的を達成するために、本発明に係るマイク装置は、通気口からマイクシート側に音声を導いて音声をマイクに到達させる音声通路を有するマイク装置であって、音声通路が、通気口を入口部とし且つ出口部が入口部に対して偏位させて設けた通路部を有して、入口部から侵入する風切り音等の雑音波が直接マイクに入らないように構成したことを特徴とする。
【００１３】
かかる構成により、風切り音などの雑音（雑音波）や、流水である雨水等の水は通気口から入り、通路部の周壁部に衝突して反射するように反射を繰り返しながら進行して衝撃力が弱められてマイクシートに到達し、風切り音や雨などの水が直接にマイクに到達することを防ぐことができる。
【００１４】
このために、雑音を低減することができ、また、マイクが水に濡れることによるマイク性能の劣化を低減することができると共に、マイクシートの破損を低減することができる。
【００１５】
また、本発明に係るマイク装置は、上記した本発明に係るマイク装置において、通路部に、通気口から浸入した雑音波や流体が衝突して反射する反射部を設けたものである。
【００１６】
かかる構成により、風切り音などの雑音（雑音波）や、流水である雨水等の水は通気口から入り、通路部の反射部に衝突して反射するように反射を繰り返しながら進行して、少なくとも１度は通路部の反射部で反射するために衝撃力が弱められてマイクシートに到達し、風切り音や雨などの水が直接にマイクに到達することを防ぐことができる。
【００１７】
このために、雑音を低減することができ、また、マイクが水に濡れることによるマイク性能の劣化を低減することができると共に、マイクシートの破損を低減することができる。
【００１８】
また、本発明に係るマイク装置は、上記した本発明に係るマイク装置において、通気口の周囲に、この通気口を囲む突起部を設けたものである。
【００１９】
かかる構成により、風切り音などの雑音（雑音波）や、流水である雨水等の水の一部が突起部に衝突して、通気口から遠ざかる方向へ流れるために、通気口から侵入してマイクシートに到達する風切り音などの雑音や雨水等の水の量をより減らすことができる。このために、雑音をより低減することができ、また、マイクが水に濡れることによるマイク性能の劣化をより低減することができると共に、マイクシートの破損をより低減することができる。
【００２０】
【発明の実施の形態】
以下、本発明の実施の形態を図１乃至図５を参照して説明する。
【００２１】
（第１の実施の形態）
本発明の第１の実施の形態であるマイク装置を図１乃至図３に示す。
【００２２】
図１は本発明の第１の実施の形態であるマイク装置を備えた端末装置の外観図、図２は図１のＸ−Ｘ線に沿う断面図、図３は図２のＡ部の詳細図である。
【００２３】
本発明のマイク装置（第１の実施の形態）を備える端末装置１０は、本体側ケース１１と、この本体側ケース１１に係合したカバーケース１２とからなる装置本体１３を備えており、本体側ケース１１の内面側には、マイクシート装着部１４と、マイクホルダ−装着部１５とが形成してあり、このマイクホルダ−装着部１５は、マイクシート装着部１４の周部に位置している。
【００２４】
また、本体側ケース１１の外面部１１ａには、マイクホルダ−装着部１５に略対向させて凹部１６が形成してあり、この凹部１６の面部１６ａの略中央には通気口１７が形成してあり、この通気口１７からマイクシート装着部１４の中心部にかけて音声通路１８が形成してある。
【００２５】
このように、音声通路１８は、その通路部１８Ａの入口である通気口１７に連通しており、通路部１８Ａの出口部１９は後述するマイクシート２２側に開口している。そして、この出口部１９は通気口１７に対して偏位しており、このために、音声通路１８は略クランク状に屈曲した形状になっていて、通路部１８Ａは、通気口１７に対向する第１の反射部２０と、出口部１９に対向する第２の反射部２１とを有している。
【００２６】
すなわち、音声通路１８は、通気口１７を入口部とし且つ出口部１９が通気口１７に対して偏位させてある通路部１８Ａを有し、通路部１８Ａが、通気口１７に対向する第１の反射部２０と、出口部１９に対向する第２の反射部２１とを有する構成である。
【００２７】
そして、マイクシート装着部１４にはマイクシート２２が装着してあり、マイクホルダ−装着部１５にはマイクホルダ−２３が装着してあって、このマイクホルダ−２３はマイク２４を保持している。
【００２８】
上記したように音声通路１８は略クランク状に屈曲した形状であるために、通気口１４からマイクシート１３が直視できないものになっている。
【００２９】
次に、上記のように構成されたマイク装置の動作を説明する。
【００３０】
端末装置１０の周囲で発生した風切り音などの雑音（雑音波）や、流水である雨水等の水は通気口１７から入り、図３に示す矢印ａのように音声通路１８の第１の反射部２０に衝突して反射し、第２の反射部２１に衝突して反射するように反射を繰り返しながらマイクシート２２に達する。
【００３１】
このように、通気口１７から入った風切り音などの雑音や雨水等の水は、少なくとも１度は音声通路１８の反射部（第１、第２の反射部２０、２１）に反射するために衝撃力が弱められてマイクシート２２に到達する。このために通気口１７から侵入した雨水等の水がマイクシート３３を破損する可能性が非常に低くなる。更に、雑音や水の速度は減衰されており、マイク２４には大きな衝撃力が加わることがなく、破損する可能性が低減できる。
【００３２】
ここで、話者から発せられる音声は、音声の持つ性質である回析により曲がっている音声通路１８を伝搬しマイクシート２２まで到達するので、音声通路１８の第１反射部２０での反射により再び通気口１７から端末装置１０の外部へ漏れ出るものもあるが、大部分の音声は回析によりマイクシート２２を経由してマイク２４まで到達する。このために、マイク極性の劣化は少くなる。
【００３３】
一方、風切り音などの雑音は、風という一種の空気の流れに沿って伝搬する音である性質上、風の影響をより強く受けるために風向と同じ方向に伝搬しやすくなるので、回析による影響が出難く、且つ風に乗って反射しやすくなる。
【００３４】
したがって、図３の矢印ｂに示すように音声通路１８の第１の反射部２０に衝突して反射して再び通気口１７から端末装置１０の外部へ漏れ出る場合が音声より多くなる。また、雨水等の水も同様である。
【００３５】
このように端末装置１０の周囲で発生した風切り音などの雑音や雨水等の水は、通気口１７から入ったものすべてがマイクシート２２に到達するわけではないので、マイクシート２２に到達する確率は小さくなり、その確率は音声の場合より小さい。したがって、雑音に対する音声のレベル比が従来例より大きくなり、雑音に強くなる。
【００３６】
上記したように本発明の第１の実施の形態によれば、通気口１７からマイクシート２２に至る音声通路１８が略クランク状に屈曲した形状であって、音声通路１８は、通気口１７を入口部とし且つ出口部１９が通気口１７に対して偏位させてある通路部１８Ａを有し、通路部１８Ａが、通気口１７に対向する第１の反射部２０と、出口部１９に対向する第２の反射部２１とを有する構成であるために、風切り音などの雑音や雨水等の水が直接にマイクシート２２に到達することがなくなる。このために、雑音を低減し、且つ水に濡れることによるマイク性能の劣化を低減し得て、マイクシート２２を破損してしまう可能性の小さいマイク装置が実現できる。
【００３７】
（第２の実施の形態）
本発明の第２の実施の形態であるマイク装置を図４及び図５に示す。
【００３８】
図４は本発明の第２の実施の形態であるマイク装置を備えた端末装置の断面図であり、図５は図４のＢ部の詳細図である。
【００３９】
本発明の第２の実施の形態であるマイク装置は、上記した本発明の第１の実施の形態であるマイク装置における端末装置１０の構成に加えて、周囲の雑音や雨水等の通気口１７への到達を防ぐ突起部２５を通気口１７の周囲に設けた構成である。
【００４０】
したがって、本発明の第２の実施の形態であるマイク装置の構成は、本発明の第１の実施の形態であるマイク装置の構成の同じ部位については同じ符号を付すことで説明を省略する。
【００４１】
本発明の第２の実施の形態であるマイク装置では、本体側ケース１１の外面部１１ａには、マイクホルダ−装着部１５に対向する凹部１６が存在せず、本体側ケース１１の外面部１１ａに通気口１７が形成してあり、本体側ケース１１の外面部１１ａには通気口１７を囲むようにしてリブ状の突起部２５は形成してある。この突起部２５の高さは可能な限り高い方が望ましい。
【００４２】
次に、上記のように構成されたマイク装置について、その動作を説明する。
【００４３】
本発明の第１の実施の形態であるマイク装置の構成では、端末装置１０の装置本体１３に沿って伝搬する風切り音などの雑音や雨水等の水は、図３に示す矢印ｃのように通気口１７より内部方向へ回り込んでマイクシート２２へ到達する場合がある。
【００４４】
そこで、図４及び図５に示すように通気口１７の周囲に突起部２５を設けることにより、端末装置１０の周囲で発生した風切り音などの雑音（雑音波）や雨水等の水の一部が、図４及び図５に示す矢印ｄのように突起部２５に衝突して、通気口１７から遠ざかる方向へ流れるために、風切り音などの雑音や雨水等の水がマイクシート２２に到達することを防ぐことができる。
【００４５】
上記したように本発明の第２の実施の形態によれば、通気口１７からマイクシート２２に至る音声通路１８が略クランク状に屈曲され形状であって、音声通路１８は、通気口１７を入口部とし且つ出口部１９が通気口１７に対して偏位させてある通路部１８Ａを有し、通路部１８Ａが、通気口１７に対向する第１の反射部２０と、出口部１９に対向する第２の反射部２１とを有する構成であり、しかも、通気口１７の周囲に突起部２５が設けてあるために、通気口１７から侵入しマイクシート２２に到達する風切り音などの雑音や雨水等の水の量をより減らすことができる。このために、雑音をより低減し、且つ水に濡れることによるマイク性能の劣化をより低減し得て、マイクシート２２を破損してしまう可能性の小さいマイク装置が実現できる。
【００４６】
【発明の効果】
以上説明したように本発明に係るマイク装置によれば、風切り音などの雑音（雑音波）や、流水である雨水等の水は通気口から入り、通路部の周壁部に衝突して反射するように反射を繰り返しながら進行して衝撃力が弱められてマイクシートに到達し、風切り音や雨などの水が直接にマイクに到達することを防ぐことができる。
【００４７】
このために、雑音を低減することができ、また、マイクが水に濡れることによるマイク性能の劣化を低減することができると共に、マイクシートの破損を低減することができる。
【００４８】
また、本発明に係るマイク装置によれば、風切り音などの雑音（雑音波）や、流水である雨水等の水は通気口から入り、通路部の反射部に衝突して反射するように反射を繰り返しながら進行して、少なくとも１度は通路部の反射部で反射するために衝撃力が弱められてマイクシートに到達し、風切り音や雨などの水が直接にマイクに到達することを防ぐことができる。
【００４９】
このために、雑音を低減することができるし、また、マイクが水に濡れることによるマイク性能の劣化を低減することができると共に、マイクシートの破損を低減することができる。
【００５０】
また、本発明に係るマイク装置によれば、風切り音などの雑音（雑音波）や雨水等の水の一部が突起部に衝突して、通気口から遠ざかる方向へ流れるために、通気口から侵入してマイクシートに到達する風切り音などの雑音や雨水等の水の量をより減らすことができる。このために、雑音をより低減することができるし、また、マイクが水に濡れることによるマイク性能の劣化をより低減することができると共に、マイクシートの破損をより低減することができる。
【図面の簡単な説明】
【図１】本発明の第１の実施の形態であるマイク装置を備えた端末装置の外観図
【図２】図１のＸ−Ｘ線に沿う断面図
【図３】図２のＡ部の詳細図
【図４】本発明の第２の実施の形態であるマイク装置を備えた端末装置の断面図
【図５】図４のＢ部の詳細図
【図６】従来のマイク装置を備えた端末装置の断面図
【符号の説明】
１０        端末装置
１１        本体側ケース
１１ａ      外面部
１２        カバーケース
１３        装置本体
１７        通気口
１８        音声通路
１８Ａ      通路部
１９        出口部
２０        第１の反射部
２１        第２の反射部
２２        マイクシート
２３        マイクホルダ−
２４        マイク
２５        突起部
【図１】
0003818642.tif 000002
【図２】
0003818642.tif 000003
【図３】
0003818642.tif 000004
【図４】
0003818642.tif 000005
【図５】
0003818642.tif 000006
【図６】
0003818642.tif 000007